【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
ページを位置決めする方法であって：
ページ上の入力情報をエラーチェックのためにバックエンドへ送信するステップ（Ｓ１０１）と；
前記バックエンドにより返されたエラーチェック結果に基づき、前記ページ上のエラーのある入力情報を特定するステップ（Ｓ１０２）と；
前記特定されたエラーのある入力情報に基づき、前記エラーのある入力情報に関するプロンプト情報を含むエラープロンプトポップアップを生成し表示するステップ（Ｓ１０３）と；
前記エラーのある入力情報を含むページ入力領域に対応するアンカーに基づき、ページを位置決めするステップ（Ｓ１０４）と；を備える、
ページを位置決めする方法。
【請求項２】
前記エラーのある入力情報に関する前記プロンプト情報は、前記エラーのある入力情報に対応するフィールド名を含み、
前記エラーのある入力情報に関するプロンプト情報を含むエラープロンプトポップアップを生成するステップは：
前記エラーのある入力情報に対応するフィールド名を特定するステップと；
各フィールド名を含むエラープロンプトポップアップを生成するステップと；を備え、
各フィールド名は、規定の接合方法を用いることにより互いに接合した後に前記エラープロンプトポップアップ内に表示される、
請求項１に記載の方法。
【請求項３】
前記エラーのある入力情報を含むページ入力領域に対応するアンカーに基づき、ページを前記位置決めするステップは：
全ての前記エラーのある入力情報の中で所定のエラーのある入力情報を含む前記ページ入力領域に対応する前記アンカーに基づき、ページ入力領域に前記ページを位置決めするステップと；
前記ページ上の訂正されたエラーのある入力情報に対する格納命令を受ける度に、前記訂正されたエラーのある入力情報を格納し、前記ページ上のエラーのある入力情報が全て訂正され格納されるまで、訂正すべき所定のエラーのある入力情報を含む前記ページ入力領域に対応するアンカーに基づき、前記ページ入力領域に前記ページを位置決めするステップと；を備える、
請求項１又は請求項２に記載の方法。
【請求項４】
前記訂正されたエラーのある入力情報を格納した後に：
前記エラープロンプトポップアップに含まれた、前記訂正されたエラーのある入力情報に対応するプロンプト情報を隠す又は消去するステップを更に備える、
請求項３に記載の方法。
【請求項５】
前記エラープロンプトポップアップに含まれる前記エラーのある入力情報に関するプロンプト情報の全てが隠された又は消去されたと特定された場合、前記エラープロンプトポップアップを消去するステップを更に備える、
請求項４に記載の方法。
【請求項６】
前記エラーのある入力情報に関する前記プロンプト情報は、前記エラーのある入力情報を含む前記ページ入力領域に対応する前記アンカーのアンカーリンクを更に含み、
前記エラープロンプトポップアップに含まれるアンカーリンクに対するクリック操作が検出された場合に、前記アンカーリンクに対応するページ入力領域に前記ページを位置決めするステップを更に備える、
請求項２に記載の方法。
【請求項７】
前記ページが長いページであり、前記長いページの長さは、前記長いページを表示するために用いられる表示領域の長さを超える、
請求項１、２、３、及び６のいずれか１項に記載の方法。
【請求項８】
前記エラープロンプトポップアップは、静的なポップアップ又は動的なポップアップを備える、
請求項１乃至請求項７のいずれか１項に記載の方法。
【請求項９】
エラーのある入力情報に関するページ位置決め装置であって、請求項１乃至請求項８のいずれか１項に記載の方法を実行するように構成された複数のモジュールを含む、
エラーのある入力情報に関するページ位置決め装置。
【手続補正２】
【補正対象書類名】明細書
【補正対象項目名】００１９
【補正方法】変更
【補正の内容】
【００１９】
実際の適用において、フロントエンドのページ上の入力情報をチェックする場合、２種類のシナリオが存在する。第１のシナリオでは、一部の入力情報については、ユーザが情報を入力すると、フロントエンドが入力情報を直接にチェックできる。したがって、ユーザはエラーのある入力情報を入力したとフロントエンドが特定すると、エラーのある入力情報を訂正するようにリアルタイムでユーザを促すことができる。そのため、ユーザは、エラーのある入力情報を手動で検索する必要がなく、エラーのある入力情報を簡単に見失ってしまうことはない。第２のシナリオでは、他の一部の入力情報をフロントエンドがチェックできず、フロントエンドはその他の一部の入力情報をバックエンドへ送信し、バックエンドはチェックを実行してから、チェック結果をフロントエンドへ返す。この状況において、フロントエンドは、バックエンドから返されたチェック結果に基づきエラーのある入力情報を特定し、既存技術における方法を用いることによりユーザに対してエラーのある入力情報に関するプロンプトを提供できる。結果として、ユーザは、ページ上でプロンプトに指示されたエラーのある入力情報を手動で検索する必要がある。特に、ページが比較的長く、エラーのある入力情報がページ上に多く存在する場合、ユーザは、ページを上下にスクロールしてエラーのある入力情報を特定する必要がある。この操作は手間がかかり、エラーのある入力情報を簡単に見失ってしまう可能性がある。
【手続補正３】
【補正対象書類名】明細書
【補正対象項目名】００８１
【補正方法】変更
【補正の内容】
【００８１】
上記実施は本願の実施に過ぎず、本願を限定することを意図するものではない。当業者は、本願に様々な修正及び変更を加えることができる。本願の精神及び原理から逸脱することなくなされる任意の修正、均等物の置き換え、改良などは、本願の請求の範囲に含まれる。
以下、本発明の実施の態様の例を列挙する。
［第１の局面］
エラーのある入力情報に関するページ位置決め方法であって：
ページ上の入力情報をエラーチェックのためにバックエンドへ送信するステップと；
前記バックエンドにより返されたエラーチェック結果に基づき、前記ページ上のエラーのある入力情報を特定するステップと；
前記特定されたエラーのある入力情報に基づき、前記エラーのある入力情報に関するプロンプト情報を含むエラープロンプトポップアップを生成し表示するステップと；
前記エラーのある入力情報を含むページ入力領域に対応するアンカーに基づき、ページを位置決めするステップと；を備える、
エラーのある入力情報に関するページ位置決め方法。
［第２の局面］
前記エラーのある入力情報に関する前記プロンプト情報は、前記エラーのある入力情報に対応するフィールド名を含み、
前記エラーのある入力情報に関するプロンプト情報を含むエラープロンプトポップアップを生成する前記ステップは：
前記エラーのある入力情報に対応するフィールド名を特定するステップと；
各フィールド名を含むエラープロンプトポップアップを生成するステップと；を備え、
各フィールド名は、規定の接合方法を用いることにより互いに接合した後に前記エラープロンプトポップアップ内に表示される、
第１の局面に記載のページ位置決め方法。
［第３の局面］
前記エラーのある入力情報を含むページ入力領域に対応するアンカーに基づき、ページを前記位置決めする前記ステップは：
全ての前記エラーのある入力情報の中で所定のエラーのある入力情報を含むページ入力領域に対応するアンカーに基づき、ページ入力領域に前記ページを位置決めするステップと；
前記ページ上の訂正されたエラーのある入力情報に対する格納命令を受ける度に、前記訂正されたエラーのある入力情報を格納し、前記ページ上のエラーのある入力情報が全て訂正され格納されるまで、訂正すべき所定のエラーのある入力情報を含むページ入力領域に対応するアンカーに基づき、ページ入力領域に前記ページを位置決めするステップと；を備える、
第１の局面に記載のページ位置決め方法。
［第４の局面］
前記訂正されたエラーのある入力情報を前記格納した後に：
前記エラープロンプトポップアップに含まれた、前記訂正されたエラーのある入力情報に対応するプロンプト情報を隠す又は消去するステップを更に備える、
第３の局面に記載のページ位置決め方法。
［第５の局面］
前記エラープロンプトポップアップに含まれる前記エラーのある入力情報に関するプロンプト情報の全てが隠された又は消去されたと特定された場合、前記エラープロンプトポップアップを消去するステップを更に備える、
第４の局面に記載のページ位置決め方法。
［第６の局面］
前記エラーのある入力情報に関する前記プロンプト情報は、前記エラーのある入力情報を含む前記ページ入力領域に対応する前記アンカーのアンカーリンクを更に含み、
前記エラープロンプトポップアップに含まれるアンカーリンクに対するクリック操作が検出された場合に、前記アンカーリンクに対応するページ入力領域に前記ページを位置決めするステップを更に備える、
第２の局面に記載のページ位置決め方法。
［第７の局面］
前記ページが長いページであり、前記長いページの長さは、前記長いページを表示するために用いられる表示領域の長さを超える、
第１、２、３、及び６の局面のいずれかに記載のページ位置決め方法。
［第８の局面］
エラーのある入力情報に関するページ位置決め装置であって：
ページ上の入力情報をエラーチェックのためにバックエンドへ送信するように構成された送信モジュールと；
前記バックエンドにより返されたエラーチェック結果に基づき、前記ページ上のエラーのある入力情報を特定するように構成された特定モジュールと；
前記特定されたエラーのある入力情報に基づき、前記エラーのある入力情報に関するプロンプト情報を含むエラープロンプトポップアップを生成し表示するように構成されたポップアップモジュールと；
前記エラーのある入力情報を含むページ入力領域に対応するアンカーに基づき、ページを位置決めするように構成された位置決めモジュールと；を備える、
エラーのある入力情報に関するページ位置決め装置。
［第９の局面］
前記エラーのある入力情報に関する前記プロンプト情報は、前記エラーのある入力情報に対応するフィールド名を含み；
前記ポップアップモジュールは、具体的には、前記エラーのある入力情報に対応するフィールド名を特定するように、そして、各フィールド名を含むエラープロンプトポップアップを生成するように構成され、各フィールド名は、規定の接合方法を用いることにより互いに接合した後に前記エラープロンプトポップアップ内に表示される；
第８の局面に記載のページ位置決め装置。
［第１０の局面］
前記位置決めモジュールは、具体的に：
全ての前記エラーのある入力情報の中で所定のエラーのある入力情報を含むページ入力領域に対応するアンカーに基づき、ページ入力領域に前記ページを位置決めするように構成され；
前記ページ上の訂正されたエラーのある入力情報に対する格納命令を受ける度に、前記訂正されたエラーのある入力情報を格納するように、及び、前記ページ上のエラーのある入力情報が全て訂正され格納されるまで、訂正すべき所定のエラーのある入力情報を含むページ入力領域に対応するアンカーに基づき、ページ入力領域に前記ページを位置決めするように構成された；
第８の局面に記載のページ位置決め装置。
［第１１の局面］
前記位置決めモジュールが前記訂正されたエラーのある入力情報を格納した後に、前記エラープロンプトポップアップに含まれ、前記訂正されたエラーのある入力情報に対応するプロンプト情報を隠す又は消去するように構成されたポップアップ変更モジュールを更に備える、
第１０の局面に記載のページ位置決め装置。
［第１２の局面］
前記エラープロンプトポップアップに含まれる前記エラーのある入力情報に関するプロンプト情報の全てが隠された又は消去されたと特定された場合、前記エラープロンプトポップアップを消去するように構成されたポップアップ消去モジュールを更に備える、
第１１の局面に記載のページ位置決め装置。
［第１３の局面］
前記エラーのある入力情報に関する前記プロンプト情報は、前記エラーのある入力情報を含む前記ページ入力領域に対応する前記アンカーのアンカーリンクを更に含み；
前記エラープロンプトポップアップに含まれるアンカーリンクに対するクリック操作が検出された場合に、前記アンカーリンクに対応するページ入力領域に前記ページを位置決めするように構成されたリンクモジュールを更に備える、
第９の局面に記載のページ位置決め装置。
［第１４の局面］
前記ページが長いページであり、前記長いページの長さは前記長いページを表示するために用いられる表示領域の長さを超える、
第８、９、１０、及び１３の局面のいずれかに記載のページ位置決め装置。